(57)【要約】【課題】被験者が正しい測定姿勢を採ることによって、血圧値を正確に測定する手首式血圧計、を提供する。【解決手段】手首式血圧計１００は、被験者の手首に巻き回されることにより筒形状の形態をとるカフ１５０を備える。カフ１５０は、筒形状の周方向に延在する本体部２１と、本体部２１から筒形状の軸方向に延出し、カフ１５０が被験者の手首に巻き回された状態で、手の平側に屈曲する手首の可動領域を制限する手の平側延出部２３とを有する。【選択図】図１
0003174904.tif 000002
【実用新案登録請求の範囲】
【請求項１】
被験者の手首に巻き回されることにより筒形状の形態をとるカフを備え、
前記カフは、筒形状の周方向に延在する本体部と、前記本体部から筒形状の軸方向に延出し、前記カフが被験者の手首に巻き回された状態で、手の平側に屈曲する手首の可動領域を制限する第１延出部とを有する、手首式血圧計。
【請求項２】
前記カフには、前記カフが被験者の手首に巻き回された状態で被験者の体表面と向かい合う内面が形成され、
前記本体部に設けられ、前記内面に配置される第１電極部と、
前記第１延出部に設けられ、前記内面に配置される第２電極部と、
生体を通じた前記第１電極部と前記第２電極部との間の導通を検出可能な導通検出部とをさらに備える、請求項１に記載の手首式血圧計。
【請求項３】
前記第２電極部は、前記第１延出部が前記本体部から延出する方向に間隔を設けて配列された複数の分割体から構成される、請求項２に記載の手首式血圧計。
【請求項４】
前記カフには、前記カフが被験者の手首に巻き回された状態で被験者の体表面と向かい合う内面と、前記内面の裏側に配置される外面とが形成され、
前記本体部に設けられ、前記内面に配置される第１電極部と、
前記第１延出部に設けられ、前記外面に配置される第３電極部と、
生体を通じた前記第１電極部と前記第３電極部との間の導通を検出可能な導通検出部とをさらに備える、請求項１から３のいずれか１項に記載の手首式血圧計。
【請求項５】
前記第１延出部に設けられ、前記第１延出部が前記本体部から延出する方向に向けて測定波を出射する出射部と、
前記第１延出部に設けられ、前記出射部から出射された測定波の反射波を検出可能な反射波検出部とをさらに備える、請求項１から４のいずれか１項に記載の手首式血圧計。
【請求項６】
前記導通検出部もしくは前記反射波検出部による検出結果に基づき、被験者の測定姿勢が異常であると判断された場合に、その事実を被験者に報知する報知部をさらに備える、請求項２から５のいずれか１項に記載の手首式血圧計。
【請求項７】
前記カフは、前記本体部から筒形状の軸方向に延出し、前記カフが被験者の手首に巻き回された状態で、手の甲側に屈曲する手首の可動領域を制限する第２延出部をさらに有する、請求項１から６のいずれか１項に記載の手首式血圧計。
【請求項８】
前記カフには、前記カフが被験者の手首に巻き回された状態で被験者の体表面と向かい合う内面が形成され、
前記本体部に設けられ、前記内面に配置される第１電極部と、
前記第２延出部に設けられる第４電極部と、
生体を通じた前記第１電極部と前記第４電極部との間の導通を検出可能な導通検出部とをさらに備える、請求項７に記載の手首式血圧計。
【請求項９】
前記導通検出部による検出結果に基づき、被験者の測定姿勢が異常であると判断された場合に、その事実を被験者に報知する報知部をさらに備える、請求項８に記載の手首式血圧計。
【請求項１０】
前記第１延出部の、前記本体部から延出する長さは、前記第２延出部の、前記本体部から延出する長さよりも大きい、請求項７から９のいずれか１項に記載の手首式血圧計。
【考案の詳細な説明】
【技術分野】
【０００１】
この考案は、被験者の手首に装着される手首式血圧計に関する。
【背景技術】
【０００２】
従来の手首式血圧計に関して、たとえば、特開２００３−１０２６９３号公報には、手首のねじりによる検出角度のばらつきを防止することにより、心臓と測定部位との高低差を正確に測定することを目的とした電子血圧計が開示されている（特許文献１）。
【０００３】
特許文献１に開示された電子血圧計は、血圧測定の制御装置が内蔵された本体部と、その本体部を手首に装着するためのカフとを備える。本体部の内部には、血圧測定時に、前腕の上下方向角度と手首のロール方向角度との２つの角度を測定するための２軸角度センサが設けられている。
【０００４】
また、特表２００２−５４１８９４号公報には、簡易かつ正確に間欠的または連続的に橈骨動脈または尺骨動脈の血圧を測定するとともに、体の動きなどの影響と、長時間の連続的な血圧測定による手の血流循環および神経機能に与える影響とを、有効に消去することを目的とした、無侵襲血圧測定装置が開示されている（特許文献２）。
【０００５】
特許文献２に開示された無侵襲血圧測定装置は、血圧計測定時に、手首の回転と手の曲がりとを固定するための手首固定板を備える。手首固定板は、硬質材料から作られた弧状板であり、手の背面、手首の背側および肘関節に近い前腕の背側の全てを覆う長さと幅とを有する。
【先行技術文献】
【特許文献】
【０００６】
【特許文献１】特開２００３−１０２６９３号公報
【特許文献２】特表２００２−５４１８９４号公報
【考案の概要】
【考案が解決しようとする課題】
【０００７】
上述の特許文献に開示されるように、被験者の手首にカフを装着して血圧測定を実施する手首式血圧計が広く利用されている。このような手首式血圧計において血圧値を正確に測定するには、被験者が正しい測定姿勢を採ることが必要である。たとえば、特許文献１に開示された電子血圧計では、本体部に２軸角度センサを備えることによって、被験者の手首の位置を心臓の高さまで誘導している。
【０００８】
また、手首式血圧計では、その測定部位である手首が手に近いことから、被験者が手を手の平側もしくは手の甲側に傾けたり、手を握ったりすると、腱が浮き出すなどして測定部位の形状が変化する。この場合、測定圧力に影響が生じ、血圧値が正確に測定されない懸念がある。
【０００９】
そこでこの考案は、上記の課題を解決することであり、被験者が正しい測定姿勢を採ることによって、血圧値を正確に測定する手首式血圧計を提供することである。
【課題を解決するための手段】
【００１０】
この考案に従った手首式血圧計は、被験者の手首に巻き回されることにより筒形状の形態をとるカフを備える。カフは、筒形状の周方向に延在する本体部と、本体部から筒形状の軸方向に延出し、カフが被験者の手首に巻き回された状態で、手の平側に屈曲する手首の可動領域を制限する第１延出部とを有する。
【００１１】
このように構成された手首式血圧計によれば、第１延出部によって、手の平側に屈曲する手首の可動領域が制限されることにより、被験者の手首角度を血圧測定に適した範囲内に設定することができる。これにより、被験者が正しい測定姿勢を採ることによって、血圧値を正確に測定できる。
【００１２】
また好ましくは、カフには、カフが被験者の手首に巻き回された状態で被験者の体表面と向かい合う内面が形成される。手首式血圧計は、本体部に設けられ、内面に配置される第１電極部と、第１延出部に設けられ、内面に配置される第２電極部と、生体を通じた第１電極部と第２電極部との間の導通を検出可能な導通検出部とをさらに備える。
【００１３】
このように構成された手首式血圧計によれば、導通検出部により、生体を通じた第１電極部と第２電極部との間の導通が検出されない場合、被験者の手が第２電極部と非接触であり、導通検出部により、生体を通じた第１電極部と第２電極部との間の導通が検出された場合、被験者の手が第２電極部に接触している。これにより、被験者の手首角度を把握して、被験者の測定姿勢が異常であるか否かを判断できる。
【００１４】
また好ましくは、第２電極部は、第１延出部が本体部から延出する方向に間隔を設けて配列された複数の分割体から構成される。
【００１５】
このように構成された手首式血圧計によれば、導通検出部により、生体を通じた第１電極部と第２電極部を構成する複数の分割体の各々との間の導通を検出することによって、被験者のより具体的な手首角度を把握することができる。
【００１６】
また好ましくは、カフには、カフが被験者の手首に巻き回された状態で被験者の体表面と向かい合う内面と、内面の裏側に配置される外面とが形成される。手首式血圧計は、本体部に設けられ、内面に配置される第１電極部と、第１延出部に設けられ、外面に配置される第３電極部と、生体を通じた第１電極部と第３電極部との間の導通を検出可能な導通検出部とをさらに備える。
【００１７】
このように構成された手首式血圧計によれば、導通検出部により、生体を通じた第１電極部と第３電極部との間の導通が検出されない場合、被験者の手が第３電極部と非接触であり、導通検出部により、第１電極部と第３電極部との間の導通が検出された場合、被験者の手が第３電極部に接触している。これにより、被験者の手の握りを把握して、被験者の測定姿勢が異常であるか否かを判断できる。
【００１８】
また好ましくは、手首式血圧計は、第１延出部に設けられ、第１延出部が本体部から延出する方向に向けて測定波を出射する出射部と、第１延出部に設けられ、出射部から出射された測定波の反射波を検出可能な反射波検出部とをさらに備える。
【００１９】
このように構成された手首式血圧計によれば、導通検出部により、出射部から出射された測定波の反射波が検出されない場合、測定波の出射方向に被験者の手が存在せず、導通検出部により、出射部から出射された測定波の反射波が検出された場合、測定波の出射方向に被験者の手が存在する。これにより、被験者の手の形態を把握して、被験者の測定姿勢が異常であるか否かを判断できる。
【００２０】
また好ましくは、手首式血圧計は、導通検出部もしくは反射波検出部による検出結果に基づき、被験者の測定姿勢が異常であると判断された場合に、その事実を被験者に報知する報知部をさらに備える。
【００２１】
このように構成された手首式血圧計によれば、被験者は、自らの測定姿勢が異常であることを知ることができる。
【００２２】
また好ましくは、カフは、本体部から筒形状の軸方向に延出し、カフが被験者の手首に巻き回された状態で、手の甲側に屈曲する手首の可動領域を制限する第２延出部をさらに有する。
【００２３】
このように構成された手首式血圧計によれば、第２延出部によって、手の甲側に屈曲する手首の可動領域が制限されることにより、被験者の手首角度を血圧測定に適した範囲内に設定することができる。これにより、被験者が正しい測定姿勢を採ることによって、血圧値を正確に測定できる。
【００２４】
また好ましくは、カフには、カフが被験者の手首に巻き回された状態で被験者の体表面と向かい合う内面が形成される。手首式血圧計は、本体部に設けられ、内面に配置される第１電極部と、第２延出部に設けられる第４電極部と、生体を通じた第１電極部と第４電極部との間の導通を検出可能な導通検出部とをさらに備える。
【００２５】
このように構成された手首式血圧計によれば、導通検出部により、生体を通じた第１電極部と第４電極部との間の導通が検出されない場合、被験者の手が第４電極部と非接触であり、導通検出部により、生体を通じた第１電極部と第４電極部との間の導通が検出された場合、被験者の手が第４電極部に接触している。これにより、被験者の手首角度を把握して、被験者の測定姿勢が異常であるか否かを判断できる。
【００２６】
また好ましくは、手首式血圧計は、導通検出部による検出結果に基づき、被験者の測定姿勢が異常であると判断された場合に、その事実を被験者に報知する報知部をさらに備える。
【００２７】
このように構成された手首式血圧計によれば、被験者は、自らの測定姿勢が異常であることを知ることができる。
【００２８】
また好ましくは、第１延出部の、本体部から延出する長さは、第２延出部の、本体部から延出する長さよりも大きい。
【００２９】
このように構成された手首式血圧計によれば、手首が手の平側に屈曲する場合、手首が手の甲側に屈曲する場合と比較して、手首角度の傾きが血圧測定の精度に与える影響が大きい。このため、第１延出部を第２延出部よりも長くすることによって、手の平側への手首の屈曲をより確実に防ぐ。
【考案の効果】
【００３０】
以上に説明したように、この考案に従えば、被験者が正しい測定姿勢を採ることによって、血圧値を正確に測定する手首式血圧計を提供することができる。
【図面の簡単な説明】
【００３１】
【図１】この考案の実施の形態１における手首式血圧計を示す斜視図である。
【図２】図１中の２点鎖線ＩＩに示す範囲を拡大して示す断面図である。
【図３】図１中の手首式血圧計の構成を示す機能ブロック図である。
【図４】図１中のＩＶ−ＩＶ線上に沿った手首式血圧計を示す断面図である。
【図５】図１中のＶ−Ｖ線上に沿った手首式血圧計を示す断面図である。
【図６】図１中の手首式血圧計の装着状態を手の平側から見た斜視図である。
【図７】図１中の手首式血圧計の装着状態を手の甲側から見た斜視図である。
【図８】図１中の手首式血圧計の装着状態を示す側面図である。
【図９】比較のための手首式血圧計を装着した被験者の装着姿勢を示す斜視図である。
【図１０】比較のための手首式血圧計を装着した被験者の別の装着姿勢を示す斜視図である。
【図１１】図１中の手首式血圧計の血圧測定処理の流れを示すフローチャートである。
【図１２】図１中の手首式血圧計の変形例を示す斜視図である。
【図１３】この考案の実施の形態２における手首式血圧計を示す斜視図である。
【図１４】比較のための手首式血圧計を装着した被験者のさらに別の装着姿勢を示す斜視図である。
【図１５】図１３中の手首式血圧計の変形例を示す斜視図である。
【図１６】図１５中の手首式血圧計を装着した被験者の装着姿勢を示す側面図である。
【図１７】図１５中の手首式血圧計を装着した被験者の別の装着姿勢を示す側面図である。
【考案を実施するための形態】
【００３２】
この考案の実施の形態について、図面を参照して説明する。なお、以下で参照する図面では、同一またはそれに相当する部材には、同じ番号が付されている。
【００３３】
（実施の形態１）
図１は、この考案の実施の形態１における手首式血圧計を示す斜視図である。図２は、図１中の２点鎖線ＩＩに示す範囲を拡大して示す断面図である。
【００３４】
図１および図２を参照して、まず、本実施の形態における手首式血圧計１００の基本的な構造について説明すると、手首式血圧計１００は、装置本体１１０およびカフ１５０を有する。血圧測定時、手首式血圧計１００は、カフ１５０が被験者の手首に巻き回された状態で装着される。装置本体１１０は、カフ１５０に固定されている。
【００３５】
装置本体１１０は、その外観をなし、筐体形状を有する本体ケース１２１と、本体ケース１２１の表面に設けられた表示部１２０および操作部１９０とを有する。
【００３６】
表示部１２０には、血圧値の測定結果（最高血圧、最低血圧）や、脈拍数の測定結果などが、数値やグラフなどを用いて表示される。表示部１２０としては、たとえば液晶パネルが利用される。操作部１９０としては、電源スイッチや、過去の測定記録を呼び出すための記録呼び出しスイッチ、血圧測定を開始させるための測定開始スイッチ、血圧測定を停止するための停止スイッチなどの各種スイッチが設けられている。
【００３７】
カフ１５０は、全体としては、手首に対する巻き付け方向を長手方向とする帯状の外形を有する。カフ１５０は、被験者の手首に巻き回されることにより筒形状の形態をとる。カフ１５０には、内面２８および外面２９が形成されている。カフ１５０が被験者の手首に巻き回された状態で、内面２８は被験者の体表面と向かい合う。外面２９は、内面２８の裏側に配置されている。内面２８は、カフ１５０が有する筒形状の内周側に配置され、外面２９は、カフ１５０が有する筒形状の外周側に配置されている。
【００３８】
カフ１５０は、空気が供給される空気袋１５１と、空気袋１５１を手首に巻き付けて固定するための袋状カバー体１５２とを有する。
【００３９】
空気袋１５１は、袋状カバー体１５２の内部に収容されている。空気袋１５１は、樹脂シートを用いて形成された袋状の部材からなる。袋状カバー体１５２は、カフ１５０の外観をなしている。袋状カバー体１５２は、伸縮性を有する部材からなる。空気袋１５１の内部には、膨縮空間１５６が形成されている。膨縮空間１５６の圧力が、カフ圧である。膨縮空間１５６は、後述する装置本体１１０の血圧測定用エア系コンポーネント１４１と、配管１３０を介して接続されている（図３を参照のこと）。
【００４０】
カフ１５０は、空気袋１５１を内側に向けて付勢する可撓性湾曲板としてのカーラ１５３をさらに有する。カーラ１５３は、全体としては、略矩形状の外形を有する。カーラ１５３は、被験者の手首にフィットするように円筒形状に形成されており、環状に巻き回されることによって径方向に弾性変形可能に構成された可撓性の部材からなる。カーラ１５３は、袋状カバー体１５２の内部で、被験者の手首に対して空気袋１５１の外側に重なって配置されている。カーラ１５３は、十分な弾性力を発現するように、たとえばポリプロピレン（ＰＰ）等の樹脂部材により形成されている。
【００４１】
次に、手首式血圧計１００の主要な機能ブロックの構成について説明する。図３は、図１中の手首式血圧計の構成を示す機能ブロック図である。
【００４２】
図３を参照して、装置本体１１０には、カフ１５０に内包された空気袋１５１に配管１３０を通じて空気を供給または排出するための血圧測定用エア系コンポーネント１４１が設けられている。血圧測定用エア系コンポーネント１４１は、空気袋１５１内の圧力を検出する圧力検出手段である圧力センサ１４２と、空気袋１５１を膨縮させるための膨縮機構部４１であるポンプ１４３および弁１４５とから構成されている。装置本体１１０には、血圧測定用エア系コンポーネント１４１に関連して発振回路１４７、ポンプ駆動回路１４８および弁駆動回路１４９が設けられている。
【００４３】
装置本体１１０には、各部を集中的に制御および監視する制御部としてのＣＰＵ（Central Processing Unit）４６と、ＣＰＵ４６に所定の動作をさせるプログラムや測定された血圧値などの各種情報を記憶するためのメモリ部１７０と、血圧測定結果を含む各種情報を表示するための表示部１２０と、測定のための各種指示を入力するために操作される操作部１９０と、ＣＰＵ４６および各機能ブロックに電力を供給するための電源部１２５とが設けられている。
【００４４】
ＣＰＵ４６は、測定開始スイッチが操作されると、血圧値の測定を実行し、停止スイッチが操作されると、血圧値の測定を停止する。ＣＰＵ４６は、血圧値を算出するための血圧値算出手段としても機能する。
【００４５】
圧力センサ１４２は、空気袋１５１のカフ圧を検出し、検出した圧力に応じた信号を発振回路１４７に出力する。ポンプ１４３は、配管１３０を通じて空気袋１５１に空気を供給する。弁１４５は、空気袋１５１内の圧力を維持したり、空気袋１５１内の空気を排出したりする際に開閉する。発振回路１４７は、圧力センサ１４２の出力値に応じた発振周波数の信号をＣＰＵ４６に出力する。ポンプ駆動回路１４８は、ポンプ１４３の駆動をＣＰＵ４６から与えられる制御信号に基づいて制御する。弁駆動回路１４９は、弁１４５の開閉制御をＣＰＵ４６から与えられる制御信号に基づいて行なう。
【００４６】
続いて、本実施の形態における手首式血圧計のより詳細な構造について説明する。図４は、図１中のＩＶ−ＩＶ線上に沿った手首式血圧計を示す断面図である。図５は、図１中のＶ−Ｖ線上に沿った手首式血圧計を示す断面図である。
【００４７】
図１から図５を参照して、カフ１５０は、本体部２１と、第１延出部としての手の平側延出部２３とを有する。カフ１５０が被験者の手首に巻き回された状態で、本体部２１は、カフ１５０が有する筒形状の周方向に延在し、手の平側延出部２３は、本体部２１から、カフ１５０が有する筒形状の軸方向に延出している。
【００４８】
本体部２１は、カフ１５０の手首に対する巻き付け方向（カフ１５０が有する筒形状の周方向）に延びる長辺と、カフ１５０の手首に対する巻き付け方向に直交する方向（カフ１５０が有する筒形状の軸方向）に延びる短辺とを有する矩形形状の外形を有する。手の平側延出部２３は、その本体部２１の長辺の一部から、手首に対する巻き付け方向に直交する方向に向けて延出している。本実施の形態では、手の平側延出部２３が、手首に対する巻き付け方向に延びる短辺と、手首に対する巻き付け方向に直交する方向に延びる長辺とを有する矩形形状の外形を有する。
【００４９】
カフ１５０は、第２延出部としての手の甲側延出部２５をさらに有する。カフ１５０が被験者の手首に巻き回された状態で、手の甲側延出部２５は、本体部２１から、カフ１５０が有する筒形状の軸方向に延出している。手の甲側延出部２５は、本体部２１の長辺の一部から、手首に対する巻き付け方向に直交する方向に向けて延出している。
【００５０】
手首に対する巻き付け方向において、手の平側延出部２３と手の甲側延出部２５とは、互いにずれた位置に設けられている。手首に対する巻き付け方向において、手の平側延出部２３は、装置本体１１０を基準に一方の側に設けられ、手の甲側延出部２５は、装置本体１１０を基準に他方の側に設けられている。手首に対する巻き付け方向に直交する方向において、手の平側延出部２３と手の甲側延出部２５とは、本体部２１から同一方向に延出している。
【００５１】
カフ１５０を展開した場合に、本体部２１、手の平側延出部２３および手の甲側延出部２５は、同一平面上に延在する。本体部２１からの手の平側延出部２３の延出長さＬ１は、本体部２１からの手の甲側延出部２５の延出長さＬ２よりも大きい。
【００５２】
本体部２１の外観をなす袋状カバー体１５２の内部には、空気袋１５１およびカーラ１５３が配置されている。一方、手の平側延出部２３および手の甲側延出部２５の外観をなす袋状カバー体１５２の内部には、空気袋１５１は配置されていないが、カーラ１５３が配置されている。このような構成により、手の平側延出部２３および手の甲側延出部２５において空気袋１５１が膨縮するということがなく、また、カーラ１５３によって、手の平側延出部２３および手の甲側延出部２５にある程度の剛性を持たせている。
【００５３】
手首式血圧計１００は、第１電極としての電極３１と、第２電極としての電極３２と、第４電極としての電極３３とをさらに有する。電極３１、電極３２および電極３３は、カフ１５０に設けられている。
【００５４】
電極３１は、本体部２１に設けられている。電極３２は、手の平側延出部２３に設けられている。電極３３は、手の甲側延出部２５に設けられている。電極３１および電極３２は、カフ１５０の内面２８に設けられている。すなわち、カフ１５０が被験者の手首に巻き回された状態で、電極３１および電極３２は、被験者の体表面と向かい合う位置に設けられている。電極３３は、本体部２１から延出する手の甲側延出部２５の先端に設けられている。電極３３は、カフ１５０の内面２８に設けられてもよい。
【００５５】
図３中に示すように、手首式血圧計１００は、定電流生成部４２と、導通検出部４３と、報知部４７とをさらに有する。定電流生成部４２、導通検出部４３および報知部４７は、装置本体１１０に設けられている。
【００５６】
定電流生成部４２は、袋状カバー体１５２に収容された図示しない配線によって、電極３１に接続されている。定電流生成部４２は、ＣＰＵ４６から入力される指令に基づいて定電流を生成し、生成した定電流を電極３１に供給する。
【００５７】
導通検出部４３は、生体を通じた電極３１と電極３２との間の導通を検出可能なように設けられている。より具体的には、導通検出部４３は、定電流生成部４２から電極３１に電流が供給された時に、生体を通じた電極３１および電極３２間における電位差（生体インピーダンス）を検出し、検出した電位差をＣＰＵ４６に対して出力する。
【００５８】
導通検出部４３は、生体を通じた電極３１と電極３３との間の導通を検出可能なように設けられている。より具体的には、導通検出部４３は、定電流生成部４２から電極３１に電流が供給された時に、生体を通じた電極３１および電極３３間における電位差（生体インピーダンス）を検出し、検出した電位差をＣＰＵ４６に対して出力する。
【００５９】
ＣＰＵ４６は、導通検出部４３からの出力に基づいて、被験者の測定姿勢が異常であるか否かを判断する。ＣＰＵ４６は、被験者の測定姿勢が異常であると判断した時、報知部４７に対して作動を指示する。報知部４７は、ＣＰＵ４６から作動の指示を受けた時、被験者の測定姿勢が異常であることを被験者に報知する。報知部４７により被験者に測定姿勢の異常を伝える手段は、たとえば、アラーム音を発する構成であってもよいし、表示部１２０に表示する構成であってもよい。
【００６０】
図６は、図１中の手首式血圧計の装着状態を手の平側から見た斜視図である。図７は、図１中の手首式血圧計の装着状態を手の甲側から見た斜視図である。図８は、図１中の手首式血圧計の装着状態を示す側面図である。図８中では、被験者の手の断面が模式的に表わされている。
【００６１】
図６から図８を参照して、手首式血圧計１００は、装置本体１１０が親指側の手首の表面上に位置するようにして、被験者の左手首に装着される。このとき、手の平側延出部２３は、被験者の手の平に向かい合う位置に配置され、手の甲側延出部２５は、被験者の手の甲に向かい合う位置に配置される。
【００６２】
図８中に示すように、被験者の手首が真っ直ぐに伸ばされた状態で、手の平側延出部２３は、被験者の手の平から隙間を設けた位置に配置され、手の甲側延出部２５は、被験者の手の甲から隙間を設けた位置に配置される。本体部２１に設けられた電極３１は、被験者の手首表面に接触する。被験者の手首が真っ直ぐに伸ばされた状態で、手の平側延出部２３に設けられた電極３２と、手の甲側延出部２５に設けられた電極３３とは、被験者の手から離れて位置決めされる。
【００６３】
図９は、比較のための手首式血圧計を装着した被験者の装着姿勢を示す斜視図である。図１０は、比較のための手首式血圧計を装着した被験者の別の装着姿勢を示す斜視図である。図中には、被験者の左の手首に装着された比較のための手首式血圧計３００が示されている。
【００６４】
図９および図１０を参照して、比較のための手首式血圧計３００のカフ１５０には、図１中の本実施の形態における手首式血圧計１００に備えられた手の平側延出部２３および手の甲側延出部２５が設けられていない。
【００６５】
手首式血圧計の正しい測定姿勢として、血圧計を被験者の心臓の高さに置いた状態で、手首式血圧計を装着した手首を自然と真っ直ぐに伸ばしたまま動かさないことが望まれる。一方、血圧測定時に、図９中に示すように被験者の手首が手の平側に折れ曲がったり、図１０中に示すように被験者の手首が手の甲側に反っていたりすると、手首の測定部位の形状が変化し、正確な血圧値を測定することができない。
【００６６】
図６から図８を参照して、これに対して、本実施の形態における手首式血圧計１００においては、手首式血圧計１００を装着した被験者の手の、手の平側に配置された手の平側延出部２３が、手の平側に屈曲する手首の可動領域（図８中の矢印２１０に示す方向の手首の可動領域）を制限し、手首式血圧計１００を装着した被験者の手の、手の甲側に配置された手の甲側延出部２５が、手の甲側に屈曲する手首の可動領域（図８中の矢印２２０に示す方向の手首の可動領域）を制限する。これにより、血圧測定時の被験者の手首の角度が固定されるため、被験者は正しい測定姿勢を採ることになる。
【００６７】
手首が手の平側に屈曲する場合、手首が手の甲側に屈曲する場合と比較して、手首内部の腱がより大きく手首表面に突出するため、測定精度に与える影響が大きい。本実施の形態では、手の平側延出部２３を手の甲側延出部２５よりも長くすることによって（図１中においてＬ１＞Ｌ２）、手の平側への手首の屈曲をより確実に防いでいる。
【００６８】
さらに本実施の形態における手首式血圧計１００においては、カフ１５０に設けられた電極３１、電極３２および電極３３を用いて、血圧測定時の被験者の測定姿勢が正常であるか否かを判断している。以下、その判断方法について説明する。
【００６９】
図１１は、図１中の手首式血圧計の血圧測定処理の流れを示すフローチャートである。図１１中のフローチャートに従うプログラムは、図３において示したメモリ部１７０に予め記憶されており、ＣＰＵ４６がメモリ部１７０からこのプログラムを読出して実行することにより、血圧測定処理が実施される。
【００７０】
図３および図１１を参照して、被験者が操作部１９０のうちの電源スイッチを操作して電源をオンにすると手首式血圧計１００の初期化がなされる（Ｓ１０１）。次に、測定開始スイッチを操作することにより、血圧値の測定が開始される。より具体的には、ＣＰＵ４１がポンプ１４３の駆動を開始し、空気袋１５１のカフ圧を徐々に上昇させる（Ｓ１０２）。
【００７１】
血圧値の測定開始とともに、定電流生成部４２から電極３１に電流が供給される。導通検出部４３は、電極３１および電極３２間の電位差と、電極３１および電極３３間の電位差とをモニタリングする（Ｓ１０３）。被験者の手首が真っ直ぐに伸びる場合、被験者の手と、電極３２および電極３３とは非接触であるため、電極３１および電極３２間の電位差と電極３１および電極３３間の電位差とは、無限大となる。被験者の手首が手の平側に折れ曲がって、被験者の手の平が電極３２に接触した場合、電極３１および電極３２の間の生体インピーダンスが電位差として検出される。被験者の手首が手の甲側に折れ曲がって、被験者の手の甲が電極３３に接触した場合、電極３１および電極３３の間の生体インピーダンスが電位差として検出される。
【００７２】
ＣＰＵ４６は、電極３１および電極３２間の電位差と電極３１および電極３３間の電位差とが無限大であるか否かを判断する（Ｓ１０４）。電極３１および電極３２間の電位差と電極３１および電極３３間の電位差とが無限大である場合には、被験者の測定姿勢が正常であるため、後に続く血圧値算出の工程に進む。
【００７３】
血圧値算出の工程では、カフ圧が徐々に上昇する過程において、ＣＰＵ４６が発振回路１４７から得られる発振周波数に基づき脈波情報を抽出する。そして、抽出された脈波情報により収縮期血圧値（最高血圧値）および拡張期血圧値（最低血圧値）を算出する（Ｓ１０５）。これにより、血圧値の測定が完了される。
【００７４】
Ｓ１０５において血圧値が算出されると、ＣＰＵ４６は、算出された血圧値を表示部１２０に表示する（Ｓ１０６）。カフ圧が血圧測定のために必要な所定のレベルにまで達すると、ＣＰＵ４６はポンプ１４３を停止する。次いで、閉じていた弁１４５を開いて、空気袋１５１の空気を排気する（Ｓ１０７）。その後、ＣＰＵ４６は、被験者の電源オフの指令を待ってその動作を終了する。
【００７５】
一方、Ｓ１０４において、電極３１および電極３２間の電位差もしくは電極３１および電極３３間の電位差が生体インピーダンスの値を示す場合には、被験者の測定姿勢が異常であるため、エラー報知の工程に進む。エラー報知の工程では、報知部４７は、被験者の測定姿勢が異常であることを被験者に報知する（Ｓ１０８）。その後、血圧値を算出することなく、Ｓ１０７の停止動作を実行する。
【００７６】
このような構成によれば、カフ１５０に設けられた電極３１、電極３２および電極３２を用いて、血圧測定時の被験者の測定姿勢が正常であるか否かを判断し、その結果を血圧測定のフローに反映させることができる。
【００７７】
なお、本実施の形態では、エラー報知の工程の後に血圧測定を停止するフロー（強制終了）を説明したが、本考案はこれに限られるものではない。たとえば、エラー報知によって被験者に正しい測定姿勢を採るように促せ、電極３１および電極３２間の電位差と電極３１および電極３３間の電位差とが無限大であることを確認した後、再び血圧測定のフローを続行してもよい。
【００７８】
また、Ｓ１０４において、電極３１および電極３２間の電位差もしくは電極３１および電極３３間の電位差が生体インピーダンスの値を示す場合であっても、血圧測定のフローを続行し、Ｓ１０６において、血圧値とともに被験者の測定姿勢が異常であったことを表示部１２０に表示させてもよい。また、被験者の測定姿勢が異常であった場合に血圧の測定値に生じる誤差量を予め実験的に得ておき、その誤差量に基づいて補正された血圧値を表示部１２０に表示させてもよい。
【００７９】
図１２は、図１中の手首式血圧計の変形例を示す斜視図である。図中には、図６に対応する手首式血圧計の装着状態が示されている。
【００８０】
図１２を参照して、本変形例では、電極３２が、複数の分割体３２Ａ，３２Ｂ，３２Ｃから構成されている。分割体３２Ａと、分割体３２Ｂと、分割体３２Ｃとは、手の平側延出部２３が本体部２１から延出方向に互いに間隔を設けて配列されている。導通検出部４３は、生体を通じた電極３１と、電極３２の分割体３２Ａ、分割体３２Ｂおよび分割体３２Ｃとの間の導通をそれぞれ検出可能なように設けられている。
【００８１】
被験者の手首の傾きが比較的小さい場合、被験者の手の平は、電極３２の分割体３２Ａのみと接触する。被験者の手首の傾きが徐々に大きくなると、被験者の手の平は、まず、電極３２の分割体３２Ａおよび分割体３２Ｂと接触し、やがて、電極３２の分割体３２Ａ、分割体３２Ｂおよび分割体３２Ｃの全てと接触する。本変形例では、電極３２を分割体３２Ａ、分割体３２Ｂおよび分割体３２Ｃの形態で設けることにより、被験者の手首角度をより具体的に把握することができる。
【００８２】
以上に説明した、この考案の実施の形態１における手首式血圧計１００の構造についてまとめて説明すると、本実施の形態における手首式血圧計１００は、被験者の手首に巻き回されることにより筒形状の形態をとるカフ１５０を備える。カフ１５０は、筒形状の周方向に延在する本体部２１と、本体部２１から筒形状の軸方向に延出し、カフ１５０が被験者の手首に巻き回された状態で、手の平側に屈曲する手首の可動領域を制限する第１延出部としての手の平側延出部２３とを有する。カフ１５０は、本体部２１から筒形状の軸方向に延出し、カフ１５０が被験者の手首に巻き回された状態で、手の甲側に屈曲する手首の可動領域を制限する第２延出部としての手の甲側延出部２５をさらに有する。
【００８３】
このように構成された、この考案の実施の形態１における手首式血圧計１００によれば、カフ１５０に手の平側延出部２３および手の甲側延出部２５を設けることによって、血圧測定時の被験者の手首角度を適正な範囲に固定することができる。これにより、被験者は正しい測定姿勢を採るため、正確な血圧値を測定することができる。
【００８４】
（実施の形態２）
図１３は、この考案の実施の形態２における手首式血圧計を示す斜視図である。本実施の形態における手首式血圧計は、実施の形態１における手首式血圧計１００と比較して、基本的には同様の構造を備える。以下、重複する構造についてはその説明を繰り返さない。
【００８５】
図１３を参照して、本実施の形態における手首式血圧計は、図１中の手の平側延出部２３を有するが、手の甲側延出部２５を有しない。
【００８６】
手首式血圧計は、第１電極部としての電極３１と、第３電極部としての電極５１を有する。電極３１は、本体部２１に設けられ、カフ１５０の内面２８に配置されている。電極５１は、手の平側延出部２３に設けられ、カフ１５０の外面２９に配置されている。電極５１は、カフ１５０の外面２９に配置されている点を除いて、図１中の電極３２と同じ構造を有する。図３中の導通検出部４３は、生体を通じた電極３１と電極５１との間の導通を検出可能なように設けられている。
【００８７】
図１４は、比較のための手首式血圧計を装着した被験者のさらに別の装着姿勢を示す斜視図である。図中には、被験者の左の手首に装着された比較のための手首式血圧計３００が示されている。血圧測定時に、図１４中に示すように被験者が手を握っていると、手首の測定部位の形状が変化し、正確な血圧値を測定することができない。
【００８８】
図１３を参照して、これに対して、本実施の形態における手首式血圧計においては、図１１中に示す電位差のモニタリング工程（Ｓ１０３）時、被験者の手が握られていない場合、被験者の手と電極５１とは非接触であるため、電極３１および電極５１間の電位差は無限大となる。一方、被験者が手を握り、被験者の指先が電極５１に接触した場合、手首、手の平および指先という経路で、電極３１および電極５１間の生体インピーダンスが電位差として検出される。
【００８９】
このように、本実施の形態では、電極３１および電極５１を用いて、血圧測定時の被験者の測定姿勢が正常であるか否かを判断する。
【００９０】
本実施の形態における手首式血圧計に、測定開始スイッチの操作に替わって、電極３１および電極５１間の生体インピーダンスが確認されることを測定開始の合図とする機能を付加してもよい。この場合、被験者は、図１１中のＳ１０２のステップにて、手を握って電極５１に触れることによって、血圧値の測定を開始させる。これにより、手首式血圧計を装着した片手で測定開始の操作が可能となるため、手首式血圧計の操作性を向上させることができる。
【００９１】
図１５は、図１３中の手首式血圧計の変形例を示す斜視図である。図１６は、図１５中の手首式血圧計を装着した被験者の装着姿勢を示す側面図である。図１７は、図１５中の手首式血圧計を装着した被験者の別の装着姿勢を示す側面図である。
【００９２】
図１５から図１６を参照して、本変形例における手首式血圧計は、図１３中の電極５１および電極３１に替えて、出射部５６および反射波検出部５７を有する。出射部５６および反射波検出部５７は、手の平側延出部２３に設けられている。
【００９３】
出射部５６は、測定波としての赤外線を出射する。出射部５６は、手の平側延出部２３が本体部２１から延出する方向、すなわち、カフ１５０が有する筒形状の軸方向に向けて赤外線を出射する。出射部５６は、本体部２１から延出する手の平側延出部２３の先端に設けられている。反射波検出部５７は、出射部５６から出射された赤外線の反射波を検出する。反射波検出部５７は、本体部２１から延出する手の平側延出部２３の先端に設けられている。出射部５６と反射波検出部５７とは、手の平側延出部２３の先端に併設されている。
【００９４】
図１１中に示す電位差のモニタリング工程（Ｓ１０３）時、本変形例では、電位差をモニタリングする替わりに、出射部５６から赤外線を出射させるとともに、反射波検出部５７にて、出射部５６から出射された赤外線の反射波を検出する。図１６中に示すように、被験者の手首が真っ直ぐに伸びる場合、出射部５６から出射された赤外線は、被験者の手の平と平行に進行するため、反射波検出部５７にて赤外線の反射波が検出されない。図１７中に示すように、被験者が手を握っている場合、出射部５６から出射された赤外線が被験者の手に反射されるため、反射波検出部５７にて赤外線の反射波が検出される。
【００９５】
このように、本変形例では、出射部５６および反射波検出部５７を用いて、血圧測定時の被験者の測定姿勢が正常であるか否かを判断する。
【００９６】
なお、出射部５６から出射する測定波は、赤外線に限られず、たとえば、赤外線以外の光や超音波であってもよい。出射部５６および反射波検出部５７を設ける形態は、用いる測定波の種類に応じて適宜変更される。また、出射部５６から測定波を出射した時から反射波検出部５７で測定波の反射波を検出する時までの時間を測定することによって、出射部５６および反射波検出部５７と、被験者の手の平との間の距離を算出してもよい。これにより、血圧測定時の被験者の手の形態をより詳細に把握することができる。
【００９７】
このように構成された、この考案の実施の形態２における手首式血圧計によれば、実施の形態１に記載の効果を同様に得ることができる。
【００９８】
なお、以上に説明した実施の形態１および実施の形態２における手首式血圧計の各種構成を適宜組み合わせて、新たな手首式血圧計を構成してもよい。たとえば、図６中に示す手首式血圧計の手の平側延出部２３に、図１３中に示す電極５１を設けてもよいし、図１３中に示す手首式血圧計のカフ１５０に、図７中に示す手の甲側延出部２５を電極３３とともに設けてもよい。
【００９９】
今回開示された実施の形態はすべての点で例示であって制限的なものではないと考えられるべきである。本考案の範囲は上記した説明ではなくて実用新案登録請求の範囲によって示され、実用新案登録請求の範囲と均等の意味および範囲内でのすべての変更が含まれることが意図される。
【産業上の利用可能性】
【０１００】
この考案は、被験者の手首に装着される手首式血圧計に適用される。
【符号の説明】
【０１０１】
２１  本体部、２３  手の平側延出部、２５  手の甲側延出部、２８  内面、２９  外面、３１，３２，３３，５１  電極、３２Ａ，３２Ｂ，３２Ｃ  分割体、４１  膨縮機構部、４２  定電流生成部、４３  導通検出部、４７  報知部、５６  出射部、５７  反射波検出部、１００，３００  手首式血圧計、１１０  装置本体、１２０  表示部、１２１  本体ケース、１２５  電源部、１３０  配管、１４１  血圧測定用エア系コンポーネント、１４２  圧力センサ、１４３  ポンプ、１４５  弁、１４７  発振回路、１４８  ポンプ駆動回路、１４９  弁駆動回路、１５０  カフ、１５１  空気袋、１５２  袋状カバー体、１５３  カーラ、１５６  膨縮空間、１７０  メモリ部、１９０  操作部。
【図１】
0003174904.tif 000003
【図２】
0003174904.tif 000004
【図３】
0003174904.tif 000005
【図４】
0003174904.tif 000006
【図５】
0003174904.tif 000007
【図６】
0003174904.tif 000008
【図７】
0003174904.tif 000009
【図８】
0003174904.tif 000010
【図９】
0003174904.tif 000011
【図１０】
0003174904.tif 000012
【図１１】
0003174904.tif 000013
【図１２】
0003174904.tif 000014
【図１３】
0003174904.tif 000015
【図１４】
0003174904.tif 000016
【図１５】
0003174904.tif 000017
【図１６】
0003174904.tif 000018
【図１７】
0003174904.tif 000019